(57)【特許請求の範囲】
【請求項１】
複数の電解コンデンサ素子のそれぞれリード線の上端部を横向又は水平方向に方形枠に支持された支持板に溶着してこれらの素子を同一水準に等間隔に下向に上記方形枠に支持し、該方形枠を間歇水平移送コンベアに支持し、
下方の機枠に設けた間歇昇降機台の直上に間歇停止した上記素子にそれぞれ共通中心線上に対応する複数の含浸液上向注出口を該昇降機台に開口し、
該注出口にはそれぞれ上記中心線を共有する上向ベローズ短管を設け、上記機台を間歇昇降させ、上昇時に間歇停止した上記素子の下面に上記ベローズ短管の上面を連通状態に圧着し、該ベローズ短管を圧縮させてベローズ短管内の含浸液を上記素子内に圧入含浸させ、上記注出口に連通する含浸液流通路とこれに連通する含浸液溜りを上記昇降機台内に設け、上記含浸液溜りには上記素子と上記ベローズ短管との圧着による該素子への含浸液供給と連動する間歇動作ポンプを設け、該素子の上昇後伸長して空となった上記ベローズ短管内に含浸液を充満させる含浸液注入装置。
【発明の詳細な説明】
【技術分野】
【０００１】
本発明は電気機器用畜電素子に導電性ポリマー又は電解液を含浸させる方法及び装置に関するものである。
【背景技術】
【０００２】
従来、巻回形電解コンデンサ素子に電解液等を含浸させるため電解液等を含んだ絶縁紙を陽極と陰極で挟むよう構成された（例えば特許文献１）。
【０００３】
上記電解液等を絶縁紙に含浸させるため上記素子を液槽内の含浸液に浸漬した。
【０００４】
そのため高価な導電性ポリマー含浸液中のアルコール蒸発による含浸液の変質を生じ、品質に「むら」を生じ、含浸液の取替えを要し、コスト高となる嫌いがあった。
【０００５】
【特許文献１】特開平５−３２６３３３号
【発明の開示】
【発明が解決しようとする課題】
【０００６】
本発明は電解コンデンサ等の素子に高価な含浸液を変質及びむらなく定量注入含浸させることを目的とする。
【課題を解決するための手段】
【０００７】
上記の目的を達成するため本発明は
第１に複数の電解コンデンサ素子のそれぞれリード線の上端部を横向又は水平方向に方形枠に支持された支持板に溶着してこれらの素子を同一水準に等間隔に下向に上記方形枠に支持し、該方形枠を間歇水平移送コンベアに支持し、
下方の機枠に設けた間歇昇降機台の直上に間歇停止した上記素子にそれぞれ共通中心線上に対応する複数の含浸液上向注出口を該昇降機台に開口し、
該注出口にはそれぞれ上記中心線を共有する上向ベローズ短管を設け、上記機台を間歇昇降させ、上昇時に間歇停止した上記素子の下面に上記ベローズ短管の上面を連通状態に圧着し、該ベローズ短管を圧縮させてベローズ短管内の含浸液を上記素子内に圧入含浸させ、上記注出口に連通する含浸液流通路とこれに連通する含浸液溜りを上記昇降機台内に設け、上記含浸液溜りには上記素子と上記ベローズ短管との圧着による該素子への含浸液供給と連動する間歇動作ポンプを設け、該素子の上昇後伸長して空となった上記ベローズ短管内に含浸液を充満させる含浸液注入装置、
によって構成される。
【０００８】
従って上記方形枠に支持された横向支持板の一面下部に等間隔にリード線の上端部を加熱溶着し、下端に電解コンデンサ等の素子を上記支持板の下縁と平行に同一水準に方形枠に支持する。
【０００９】
上記支形枠の下方には間歇昇降機台を設け、該機台の上面に上記素子にそれぞれ対応する複数の含浸液上向注出口にそれぞれベローズ短管を設け、
上記機台を間歇昇降させ、上昇時に間歇停止した上記素子の下面に上記ベローズ短管を当接し、該ベローズを圧縮させてベローズ内の含浸液を上記素子内に圧入含浸させる。
【００１０】
その後上記動作と逆の動作により上記素子の下面からベローズ上端開口部を分離下降し、その動作を繰返す。
【発明の効果】
【００１１】
本発明は上述のように構成したのでベローズ短管内に充満している含浸液がベローズ短管の上昇圧縮により、素子に密着させポンプ圧送にて上記素子内に一定量圧入され、上記素子内にむらなく定量含浸させ得るばかりでなく昇降機台内の含浸液は変質するおそれがなく品質良好な電解コンデンサ等の素子が得られる効果がある。
【発明を実施するための最良の形態】
【００１２】
図１及び図３（イ）（ロ）図に示すように横向又は水平方向に方形枠８に支持された支持板３に一定間隔に複数のリード線２の上端部を溶着し、下端に電解コンデンサ素子１を同一水準に下向に設ける。
【００１３】
上記方形枠８はタイミングベルトによる間歇回動コンベトコンベア９にボルト９’によって支持される。
【００１４】
上記コンベア９は間歇回動サーボモータ（図示していない）によって一定距離移動して停止する動作を繰返し、方形枠８が間歇昇降機台４を通過した後停止するよう上記モータは制御される。
【００１５】
上記支持板３はその両端部を図３（イ）図に示すように受溝８’，８’に一定間隔ｔ毎に複数平行に着脱自在に支持され、その下方の機枠１０に設けた間歇昇降機台４の直上において間歇停止するようになっている。
【００１６】
そして間歇停止した複数の上記素子１はそれぞれ上昇した上記昇降機台４に開口した複数の含浸液上向注出口５に同一中心線ａ上に対応又は対向する（図２（イ）（ロ）図）。
【００１７】
上記上向注出口５にはそれぞれ上記中心線ａを共有する上向ベローズ短管６が設けられ、上記機台４の上昇によって該短管６はその弾力性に抗して圧縮され、上記素子１の下面と上記短管６の上面とは連通状態に圧着する。
【００１８】
そして上記昇降機台４内には複数の上記注出口５に連通する含浸液流通路１１が設けられ、かつ該流通路１１に連通する含浸液溜り１２が設けられる。
【００１９】
上記昇降機台４は図３（ロ）図に示すように該機台４に設けた昇降螺旋１３に螺合する正逆回動雌螺子１４を正逆駆動螺子１５によって間歇正逆回動させることによって間歇昇降させることができ、正逆駆動螺子１５は正逆間歇回動ブレーキモータ１６の動作によって動作させる。そして上記素子１の横方向停止と上記注出口５の上昇停止とはタイミング制御によって一致させる。
【００２０】
上記昇降機台４の含浸液溜り１２には間歇動作ポンプＰによって含浸槽１７内の上記含浸液７を間歇送給することができ、上記素子１とベローズ短管６との圧着による該素子１への含浸液供給と連動して上記ポンプＰが動作し、該素子１の上昇後伸長して空となったベローズ短管６内に含浸液７を充満させることができる。
【００２１】
尚図３（ロ）図中１８は上記昇降機台４の昇降案内ガイド、１９は昇降案内杆、図２（ニ）図中２０，２０’はアルミ箔電極、２１は含浸液浸透繊維充填部、２２は合成樹脂環、２３，２３’はリード線２，２’の下端端子である。
【産業上の利用可能性】
【００２２】
本発明ではリード線２を横向支持板３から分離して上記素子１を電解コンデンサとして各種電気機器に用いることが可能であり、蒸発等による電解含浸液の濃度むらによる品質むらを防止し、かつ含浸量を一定になし得て電解液含浸素子の品質を安定し得るものである。
【図面の簡単な説明】
【００２３】
【図１】本発明の電解含浸液注入装置を示す正面図である。
【図２】（イ）図は機台下降状態の一部拡大正面図、（ロ）図は機台上昇状態の一部拡大正面図、（ニ）図は上記素子の拡大底面図である。
【図３】（イ）図は方形枠及び横向支持板の平面図、（ロ）図は昇降機台及び方形枠の正面図である。
【符号の説明】
【００２４】
１            電解コンデンサ素子
２            リード線
３            横向支持板
４            機台
５            含浸液上向注出口
６            ベローズ短管
７            含浸液
８            方形枠
９            間歇水平移送コンベア
１０          機枠
１１          含浸液流通路
【図１】
0004503527.tif 000002
【図２】
0004503527.tif 000003
【図３】
0004503527.tif 000004